(57)【要約】【課題】タイムコードを含まないデータである場合にも、操作性良好にダビング処理を行う。【解決手段】マイクロプロセッサ１１は、リモコン２からのダビング指示入力を受け付ける操作受付部１１１と、ダビング指示入力が受け付けられた場合に、ＤＶカメラ３に装着されたＤＶテープから動画像情報を取得する取得部１１２と、取得部１１２によって取得された動画像情報をＤＶＤ−ＲＡＭ１００に格納する書込部１１９と、ＤＶテープから取得された動画像情報に再生可能な有効な動画像が含まれているか否かを判定する有効性判定部１１３と、有効性判定手段によって、再生可能な有効な動画像が含まれていないと判定された場合に、書込部１１９の動作を禁止する書込禁止部１１５と、を備える。【選択図】図４
2007324950.tif 000002
【特許請求の範囲】
【請求項１】
ＤＶテープに動画像情報が格納されたＤＶカメラとＩＥＥＥ１３９４ケーブルを介して通信可能に接続され、動画像情報をＤＶＤに格納すると共に、前記ＤＶＤに格納された情報を読み出して再生可能に構成されたＤＶＤレコーダであって、
前記動画像情報は、所定時間毎の静止画像情報からなり、各静止画像情報は、それぞれ、再生可能な有効な静止画像が含まれているか否かを示す有効性情報、及び、録画禁止映像であるか否かを示す禁止性情報が付与されており、
前記ＤＶテープから前記動画像情報を取得して、前記ＤＶＤに格納する旨の外部からの操作入力を受け付ける操作受付手段と、
前記操作入力が受け付けられた場合に、前記ＤＶテープから前記動画像情報を取得する取得手段と、
前記取得手段によって取得された動画像情報を前記ＤＶＤに格納する書込手段と、
前記ＤＶテープから取得された動画像情報に再生可能な有効な動画像が含まれているか否かを、前記動画像情報に含まれる各静止画像情報に付与された有効性情報に基づいて判定する有効性判定手段と、
前記ＤＶテープから取得された動画像情報が、録画禁止映像であるか否かを、前記動画像情報に含まれる各静止画像情報に付与された禁止性情報に基づいて判定する録画禁止判定手段と、
前記有効性判定手段によって再生可能な有効な動画像が含まれていないと判定された場合、又は、前記録画禁止判定手段によって録画禁止映像であると判定された場合に、前記書込手段の動作を禁止する書込禁止手段と、
前記ＤＶカメラに対して、状態取得コマンドを送信し、該状態取得コマンドに対する前記ＤＶカメラからの返信情報に基づいて、前記ＤＶテープが前記ＤＶカメラに装着されているか否かを判定する媒体有無判定手段と、
前記ＤＶカメラに対して、カメラＶＴＲコマンドを送信し、該カメラＶＴＲコマンドに対する前記ＤＶカメラからの返信情報に基づいて、前記ＤＶカメラが前記ＤＶテープから前記動画像情報を出力可能な状態であるか否かを判定する出力可否判定手段と、
前記媒体有無判定手段によって前記ＤＶテープが装着されていないと判定された場合、又は、前記出力可否判定手段によって、前記ＤＶカメラが前記ＤＶテープから前記動画像情報を出力可能な状態ではないと判定された場合に、前記取得手段及び書込手段の動作を禁止する動作禁止手段と、
を備えること特徴とするＤＶＤレコーダ。
【請求項２】
第１記録媒体に動画像情報が格納された動画像記録装置と通信可能に接続され、動画像情報を第２記録媒体に格納すると共に、前記第２記録媒体に格納された情報を読み出して再生可能に構成された情報再生装置であって、
前記第１記録媒体から前記動画像情報を取得して、前記第２記録媒体に格納する旨の外部からの操作入力を受け付ける操作受付手段と、
前記操作入力が受け付けられた場合に、前記第１記録媒体から前記動画像情報を取得する取得手段と、
前記取得手段によって取得された動画像情報を前記第２記録媒体に格納する書込手段と、
前記第１記録媒体から取得された動画像情報に再生可能な有効な動画像が含まれているか否かを判定する有効性判定手段と、
前記有効性判定手段によって、再生可能な有効な動画像が含まれていないと判定された場合に、前記書込手段の動作を禁止する書込禁止手段と、
を備えること特徴とする情報再生装置。
【請求項３】
前記第１記録媒体から取得された動画像情報が、録画禁止映像であるか否かを判定する録画禁止判定手段を備え、
前記書込禁止手段は、前記録画禁止判定手段によって、録画禁止映像であると判定された場合に、前記書込手段の動作を禁止することを特徴とする請求項２に記載の情報再生装置。
【請求項４】
前記動画像情報は、所定時間毎の静止画像情報からなり、各静止画像情報は、それぞれ、再生可能な有効な静止画像が含まれているか否かを示す有効性情報が付与されており、
前記有効性判定手段は、動画像情報に含まれる各静止画像情報に付与された有効性情報に基づいて判定すること特徴とする請求項３に記載の情報再生装置。
【請求項５】
前記動画像情報を構成する各静止画像情報は、それぞれ、録画禁止映像であるか否かを示す禁止性情報が付与されており、
前記録画禁止判定手段は、動画像情報に含まれる各静止画像情報に付与された禁止性情報に基づいて判定すること特徴とする請求項４に記載の情報再生装置。
【請求項６】
前記第１記録媒体が前記動画像記録装置に装着されているか否かを判定する媒体有無判定手段と、
前記媒体有無判定手段によって、前記第１記録媒体が装着されていないと判定された場合に、前記取得手段及び書込手段の動作を禁止する動作禁止手段と、
を備えることを特徴とする請求項２〜請求項５のいずれかに記載の情報再生装置。
【請求項７】
前記媒体有無判定手段は、前記動画像記録装置に対して、前記第１記録媒体が装着されているか否かを示す情報を返信する旨の命令情報を送信し、該命令情報に対する前記動画像記録装置からの返信情報に基づいて、前記第１記録媒体が装着されているか否かを判定することを特徴とする請求項６に記載の情報再生装置。
【請求項８】
前記動画像記録装置が、前記第１記録媒体から前記動画像情報を出力可能な状態であるか否かを判定する出力可否判定手段と、
前記動作禁止手段は、前記出力可否判定手段によって前記動画像情報を出力可能な状態ではないと判定された場合に、前記取得手段及び書込手段の動作を禁止することを特徴とする請求項６又は請求項７に記載の情報再生装置。
【請求項９】
前記出力可否判定手段は、前記動画像記録装置に対して、前記動画像情報を出力可能な状態であるか否かを示す情報を返信する旨の命令情報を送信し、該命令情報に対する前記動画像記録装置からの返信情報に基づいて、前記動画像情報を出力可能な状態であるか否かを判定することを特徴とする請求項８に記載の情報再生装置。
【発明の詳細な説明】
【技術分野】
【０００１】
本発明は、第１記録媒体に動画像情報が格納された動画像記録装置と通信可能に接続され、動画像情報を第２記録媒体に格納すると共に、前記第２記録媒体に格納された情報を読み出して再生可能に構成された情報再生装置及びＤＶＤレコーダに関する。
【背景技術】
【０００２】
ＤＶ（Ｄｉｇｉｔａｌ  Ｖｉｄｅｏ）カメラとＤＶＤ（Ｄｉｇｉｔａｌ  Ｖｅｒｓａｔｉｌｅ  Ｄｉｓｃ）レコーダとを、ＩＥＥＥ１３９４ケーブルを介して通信可能に接続して、ＤＶカメラ側のＤＶテープ等の記録媒体からＤＶＤレコーダ側のＤＶＤへ撮影データの録画（ダビング）を行うことがある。
【０００３】
このような場合には、従来、ユーザは、ＤＶカメラ側で撮影済みのＤＶテープを、一旦先頭まで巻き戻してから、ＤＶカメラの再生キーとＤＶＤレコーダの録画キーを同時に押下して、ＤＶテープの先頭から撮影終了位置（撮影終了時にビデオヘッドと接触していた位置）までに記録されている撮影データをＤＶＤにダビングしていた。このため、ＤＶテープからＤＶＤへのダビングを行う際の、ユーザの操作性が良好とは言えない場合があった。
【０００４】
上記の課題に対して、例えば、ＤＶカメラに対して、テープ再生の指示コマンドが送信された後に、ＤＶカメラから送信されるデータのＤＶＤへの録画（ＤＶテープからＤＶＤへのダビング）が開始され、ＤＶカメラから受信したデータに含まれるタイムコードが、テープ中の撮影終了位置に相当する部分のタイムコードと一致した時点で、録画（ＤＶテープからＤＶＤへのダビング）処理を終了するＤＶＤレコーダが提案されている（特許文献１参照）。
【特許文献１】特開２００６−６７２０４号公報
【発明の開示】
【発明が解決しようとする課題】
【０００５】
しかしながら、上記の方法では、ＤＶカメラから受信したデータがタイムコードを含むデータである場合には、操作性が大幅に改善されるが、タイムコードを含まないデータである場合には、適用することが困難である。
【０００６】
例えば、ＤＶテープに格納された動画像データにブランク（画像が格納されていない）のコマが含まれている場合に、ブランクのコマを除いて、録画（ＤＶテープからＤＶＤへのダビング）処理を行うためには、煩雑な操作をする必要がある。
【０００７】
上記の課題に鑑みて、本発明は、タイムコードを含まないデータである場合にも、操作性良好に録画（ＤＶテープ等からＤＶＤ等へのダビング）処理を行うことの可能な情報再生装置及びＤＶＤレコーダを提供することを目的としている。
【課題を解決するための手段】
【０００８】
上記目的を達成するために請求項１に記載のＤＶＤレコーダは、ＤＶテープに動画像情報が格納されたＤＶカメラとＩＥＥＥ１３９４ケーブルを介して通信可能に接続され、動画像情報をＤＶＤに格納すると共に、前記ＤＶＤに格納された情報を読み出して再生可能に構成されたＤＶＤレコーダであって、前記動画像情報は、所定時間毎の静止画像情報からなり、各静止画像情報は、それぞれ、再生可能な有効な静止画像が含まれているか否かを示す有効性情報、及び、録画禁止映像であるか否かを示す禁止性情報が付与されており、前記ＤＶテープから前記動画像情報を取得して、前記ＤＶＤに格納する旨の外部からの操作入力を受け付ける操作受付手段と、前記操作入力が受け付けられた場合に、前記ＤＶテープから前記動画像情報を取得する取得手段と、前記取得手段によって取得された動画像情報を前記ＤＶＤに格納する書込手段と、前記ＤＶテープから取得された動画像情報に再生可能な有効な動画像が含まれているか否かを、前記動画像情報に含まれる各静止画像情報に付与された有効性情報に基づいて判定する有効性判定手段と、前記ＤＶテープから取得された動画像情報が、録画禁止映像であるか否かを、前記動画像情報に含まれる各静止画像情報に付与された禁止性情報に基づいて判定する録画禁止判定手段と、前記有効性判定手段によって再生可能な有効な動画像が含まれていないと判定された場合、又は、前記録画禁止判定手段によって録画禁止映像であると判定された場合に、前記書込手段の動作を禁止する前記書込手段の動作を禁止する書込禁止手段と、前記動画像記録装置に対して、状態取得コマンドを送信し、該状態取得コマンドに対する前記動画像記録装置からの返信情報に基づいて、前記ＤＶテープが前記ＤＶカメラに装着されているか否かを判定する媒体有無判定手段と、前記ＤＶカメラに対して、カメラＶＴＲコマンドを送信し、該カメラＶＴＲコマンドに対する前記ＤＶカメラからの返信情報に基づいて、前記ＤＶカメラが前記ＤＶテープから前記動画像情報を出力可能な状態であるか否かを判定する出力可否判定手段と、前記媒体有無判定手段によって前記ＤＶテープが装着されていないと判定された場合、又は、前記出力可否判定手段によって前記ＤＶカメラが前記ＤＶテープから前記動画像情報を出力可能な状態ではないと判定された場合に、前記取得手段及び書込手段の動作を禁止する動作禁止手段と、を備えること特徴としている。
【０００９】
請求項２に記載の情報再生装置は、第１記録媒体に動画像情報が格納された動画像記録装置と通信可能に接続され、動画像情報を第２記録媒体に格納すると共に、前記第２記録媒体に格納された情報を読み出して再生可能に構成された情報再生装置であって、前記第１記録媒体から前記動画像情報を取得して、前記第２記録媒体に格納する旨の外部からの操作入力を受け付ける操作受付手段と、前記操作入力が受け付けられた場合に、前記第１記録媒体から前記動画像情報を取得する取得手段と、前記取得手段によって取得された動画像情報を前記第２記録媒体に格納する書込手段と、前記第１記録媒体から取得された動画像情報に再生可能な有効な動画像が含まれているか否かを判定する有効性判定手段と、前記有効性判定手段によって、再生可能な有効な動画像が含まれていないと判定された場合に、前記書込手段の動作を禁止する書込禁止手段と、を備えること特徴としている。
【００１０】
請求項３に記載の情報再生装置は、請求項２に記載の情報再生装置であって、前記第１記録媒体から取得された動画像情報が、録画禁止映像であるか否かを判定する録画禁止判定手段を備え、前記書込禁止手段が、前記録画禁止判定手段によって録画禁止映像であると判定された場合に、前記書込手段の動作を禁止することを特徴としている。
【００１１】
請求項４に記載の情報再生装置は、請求項３に記載の情報再生装置であって、前記動画像情報は、所定時間毎の静止画像情報からなり、各静止画像情報が、それぞれ、再生可能な有効な静止画像が含まれているか否かを示す有効性情報が付与されており、前記有効性判定手段が、動画像情報に含まれる各静止画像情報に付与された有効性情報に基づいて判定すること特徴としている。
【００１２】
請求項５に記載の情報再生装置は、請求項４に記載の情報再生装置であって、前記動画像情報を構成する各静止画像情報が、それぞれ、録画禁止映像であるか否かを示す禁止性情報が付与されており、前記録画禁止判定手段が、動画像情報に含まれる各静止画像情報に付与された禁止性情報に基づいて判定すること特徴としている。
【００１３】
請求項６に記載の情報再生装置は、請求項２〜請求項５のいずれかに記載の情報再生装置であって、前記第１記録媒体が前記動画像記録装置に装着されているか否かを判定する媒体有無判定手段と、前記媒体有無判定手段によって前記第１記録媒体が装着されていないと判定された場合に、前記取得手段及び書込手段の動作を禁止する動作禁止手段と、を備えることを特徴としている。
【００１４】
請求項７に記載の情報再生装置は、請求項６に記載の情報再生装置であって、前記媒体有無判定手段が、前記動画像記録装置に対して、前記第１記録媒体が装着されているか否かを示す情報を返信する旨の命令情報を送信し、該命令情報に対する前記動画像記録装置からの返信情報に基づいて、前記第１記録媒体が装着されているか否かを判定することを特徴としている。
【００１５】
請求項８に記載の情報再生装置は、請求項６又は請求項７に記載の情報再生装置であって、前記動画像記録装置が、前記第１記録媒体から前記動画像情報を出力可能な状態であるか否かを判定する出力可否判定手段と、前記動作禁止手段が、前記出力可否判定手段によって前記動画像情報を出力可能な状態ではないと判定された場合に、前記取得手段及び書込手段の動作を禁止することを特徴としている。
【００１６】
請求項９に記載の情報再生装置は、請求項８に記載の情報再生装置であって、前記出力可否判定手段が、前記動画像記録装置に対して、前記動画像情報を出力可能な状態であるか否かを示す情報を返信する旨の命令情報を送信し、該命令情報に対する前記動画像記録装置からの返信情報に基づいて、前記動画像情報を出力可能な状態であるか否かを判定することを特徴としている。
【発明の効果】
【００１７】
請求項１に記載のＤＶＤレコーダによれば、ＤＶカメラから取得された動画像情報に再生可能な有効な動画像が含まれていないと判定された場合に、ＤＶカメラから取得された動画像情報をＤＶＤに格納する処理が禁止されるため、再生可能な有効な動画像が含まれていない動画像を除外する処理が不要となるので、ＤＶカメラの動画像情報を操作性良好に録画（ダビング）することができる。
【００１８】
また、動画像情報が録画禁止映像であると判定された場合に、ＤＶカメラから取得された動画像情報をＤＶＤに格納する処理が禁止されるため、録画禁止映像を除外する処理が不要となるので、ＤＶカメラの動画像情報を操作性良好に録画（ダビング）することができる。
【００１９】
更に、動画像情報に含まれる各静止画像情報に付与された再生可能な有効な静止画像が含まれているか否かを示す有効性情報に基づいて、画像情報に再生可能な有効な動画像が含まれているか否かが判定されるため、簡単な処理で正確に再生可能な有効な動画像が含まれているか否かを判断することができる。
【００２０】
加えて、動画像情報に含まれる各静止画像情報に付与された録画禁止映像であるか否かを示す禁止性情報に基づいて録画禁止映像であるか否かが判定されるため、簡単な処理で正確に録画禁止映像であるか否かを判断することができる。
【００２１】
また、ＤＶテープが装着されていないと判定された場合に、ＤＶテープから動画像情報を取得する処理及びＤＶカメラから取得された動画像情報をＤＶＤに格納する処理が禁止されるため、不要な処理の実行を回避することができる。
【００２２】
更に、ＤＶカメラに対して、状態取得コマンドを送信し、該状態取得コマンドに対するＤＶカメラからの返信情報に基づいて、ＤＶテープが装着されているか否かが判定されるため、ＤＶテープが装着されているか否かを簡単な処理で正確に判定することができる。
【００２３】
加えて、ＤＶカメラが動画像情報を出力可能な状態ではないと判定された場合に、ＤＶテープから動画像情報を取得する処理及びＤＶカメラから取得された動画像情報をＤＶＤに格納する処理が禁止されるため、不要な処理の実行を回避することができる。
【００２４】
また、ＤＶカメラに対して、カメラＶＴＲコマンドを送信し、該カメラＶＴＲコマンドに対するＤＶカメラからの返信情報に基づいて、動画像情報を出力可能な状態であるか否かが判定されるため、動画像情報を出力可能な状態であるか否かを簡単な処理で正確に判定することができる。
【００２５】
請求項２に記載の情報再生装置によれば、動画像記録装置から取得された動画像情報に再生可能な有効な動画像が含まれていないと判定された場合に、動画像記録装置から取得された動画像情報を第２記録媒体に格納する処理が禁止されるため、再生可能な有効な動画像が含まれていない動画像を除外する処理が不要となるので、動画像記録装置の動画像情報を操作性良好に録画（ダビング）することができる。
【００２６】
請求項３に記載の情報再生装置によれば、動画像情報が録画禁止映像であると判定された場合に、動画像記録装置から取得された動画像情報を第２記録媒体に格納する処理が禁止されるため、録画禁止映像を除外する処理が不要となるので、動画像記録装置の動画像情報を操作性良好に録画（ダビング）することができる。
【００２７】
請求項４に記載の情報再生装置によれば、動画像情報に含まれる各静止画像情報に付与された再生可能な有効な静止画像が含まれているか否かを示す有効性情報に基づいて、画像情報に再生可能な有効な動画像が含まれているか否かが判定されるため、簡単な処理で正確に再生可能な有効な動画像が含まれているか否かを判断することができる。
【００２８】
請求項５に記載の情報再生装置によれば、動画像情報に含まれる各静止画像情報に付与された録画禁止映像であるか否かを示す禁止性情報に基づいて録画禁止映像であるか否かが判定されるため、簡単な処理で正確に録画禁止映像であるか否かを判断することができる。
【００２９】
請求項６に記載の情報再生装置によれば、第１記録媒体が装着されていないと判定された場合に、第１記録媒体から動画像情報を取得する処理及び動画像記録装置から取得された動画像情報を第２記録媒体に格納する処理が禁止されるため、不要な処理の実行を回避することができる。
【００３０】
請求項７に記載の情報再生装置によれば、動画像記録装置に対して、第１記録媒体が装着されているか否かを示す情報を返信する旨の命令情報を送信し、該命令情報に対する動画像記録装置からの返信情報に基づいて、第１記録媒体が装着されているか否かが判定されるため、第１記録媒体が装着されているか否かを簡単な処理で正確に判定することができる。
【００３１】
請求項８に記載の情報再生装置によれば、動画像記録装置が動画像情報を出力可能な状態ではないと判定された場合に、第１記録媒体から動画像情報を取得する処理及び動画像記録装置から取得された動画像情報を第２記録媒体に格納する処理が禁止されるため、不要な処理の実行を回避することができる。
【００３２】
請求項９に記載の情報再生装置によれば、動画像記録装置に対して、動画像情報を出力可能な状態であるか否かを示す情報を返信する旨の命令情報を送信し、該命令情報に対する動画像記録装置からの返信情報に基づいて、動画像情報を出力可能な状態であるか否かが判定されるため、動画像情報を出力可能な状態であるか否かを簡単な処理で正確に判定することができる。
【発明を実施するための最良の形態】
【００３３】
以下に本発明の実施形態を、図面を参照しながら説明する。図１は、本発明に係るＤＶＤレコーダの接続状態を示す構成図である。ＤＶＤレコーダ１（情報再生装置に相当する）は、リモコン２と赤外線４を介して通信可能に接続され、ＤＶカメラ３とＩＥＥＥ１３９４ケーブル５を介して通信可能に接続されている。
【００３４】
リモコン２（操作受付手段の一部に相当する）は、ユーザからの操作入力を受け付けて、操作入力に対応する赤外線信号を生成して、ＤＶＤレコーダ１に対して出力するものである。
【００３５】
ＤＶカメラ３（動画像記録装置に相当する）は、動画像情報を格納し、ＤＶＤレコーダ１からＩＥＥＥ１３９４ケーブル５を介して入力されたコマンド情報に基づいて、種々の処理（例えば、格納された動画像情報を、ＩＥＥＥ１３９４ケーブル５を介してＤＶＤレコーダ１に出力する処理等）及び動作（動画像情報の再生動作、早送り再生動作、スロー再生動作、巻き戻し再生動作等）を行うものである。
【００３６】
図２は、ＤＶＤレコーダ１の構成の一例を示すブロック図である。ＤＶＤレコーダ１は、マイクロプロセッサ１１、光ピックアップ１２、ＲＦ回路１３、外部インターフェイス１４、ＩＥＥＥ１３９４インターフェイス１５、表示部１６、メモリ１７、赤外線信号受信部１８、及び、操作部１９を備えている。
【００３７】
マイクロプロセッサ１１は、ＤＶＤレコーダ１全体の動作を制御するものであって、ここでは、リモコン２からの操作信号を図２に示す赤外線信号受信部１８を介して受信して、受信された操作信号に対応するコマンド情報を生成してＤＶカメラ３に対してＩＥＥＥ１３９４ケーブル５を介して送信するものである。
【００３８】
光ピックアップ１２は、ＤＶＤ−ＲＡＭ１００（第２記録媒体に相当する）に対してレーザビームを照射してデータの書き込み（ＲＥＣ＝記録）及び読み出し（ＰＬＡＹ＝再生）を行うものである。ＲＦ回路１３は、光ピックアップ１２から出力されるＲＦ（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。ＩＥＥＥ１３９４インターフェイス１５は、ＩＥＥＥ１３９４規格に従って、ＩＥＥＥ１３９４ケーブル５を介してＤＶカメラ３との間で動画像情報、コマンド情報等の種々の情報送受信を行うものである。
【００３９】
表示部１６は、例えば、ＬＣＤ（Ｌｉｑｕｉｄ  Ｃｒｙｓｔａｌ  Ｄｉｓｐｌａｙ）等からなり、外部から視認可能にガイダンス情報、メッセージ情報、設定情報等の種々の情報を表示するものである。メモリ１７は、ここでは、ＤＶカメラ３の機種を識別可能な機種識別情報に対応するＤＶカメラ３が実行可能なコマンドの種別を示す複数のコマンド種別情報、及び、前記機種識別情報に対応するＤＶカメラ３のコマンドに対する応答時間情報を、機種識別情報に対応付けて格納するものである。赤外線信号受信部１８は、リモコン２から送信された赤外線信号を受信するものである。操作部１９は、種々の操作ボタンを備え、操作ボタンを介して外部からの操作入力を受け付けるものである。
【００４０】
図３は、ＤＶカメラ３の構成の一例を示すブロック図である。ＤＶカメラ３は、ＶＴＲ一体型のＤＶカメラであって、ＣＣＤ３１、ＡＤ変換部３２、画像メモリ３３、マイクロプロセッサ３４、フォーマット変換部３５、記録再生部３６、ＩＥＥＥ１３９４インターフェイス３７、表示部３８、操作部３９、メモリ４０、及び、始端検出センサ４１を備えている。
【００４１】
ＣＣＤ（Ｃｈａｒｇｅ  Ｃｏｕｐｌｅｄ  Ｄｅｖｉｃｅ）３１は、撮像対象の被写体像をアナログ信号の形で出力するものである。ＡＤ変換部３２は、ＣＣＤ３１から入力されたアナログ信号をディジタル情報（＝画像データ）に変換するものである。画像メモリ３３は、ＡＤ変換部３２から入力された画像データを一時的に蓄積するものである。
【００４２】
マイクロプロセッサ３４は、画像メモリ３３に蓄積された画像データに対して種々の画像処理を施すと共に、ＤＶＤレコーダ１からＩＥＥＥ１３９４ケーブル５を介して受け付けられた指示情報に従って、ＤＶカメラ３全体の動作を制御するものである。フォーマット変換部３５は、マイクロプロセッサ３４による画像処理後の画像データを図略のＤＶテープに格納する動画像情報にフォーマット変換を行うものである。記録再生部３６は、フォーマット変換部３５から出力された動画像情報を図略のＤＶテープ（第１記録媒体に相当する）へ書き込むと共に、ＤＶテープに記録された動画像情報の再生等を行うものである。
【００４３】
ＩＥＥＥ１３９４インターフェイス３７は、ＤＶＤレコーダ１からコマンド情報等のデータを受信すると共に、ＤＶテープに格納された動画像情報等のデータをＤＶＤレコーダ１へ送信するものである。表示部３８は、ＬＣＤ等からなり、記録再生部３６によって再生されるＤＶテープに格納された動画像情報を画像として外部から視認可能に表示するものである。操作部３９は、外部からの操作入力を受け付けてマイクロプロセッサ３４に出力するものである。メモリ４０は、ＤＶカメラの機種を識別する情報である機種識別情報を含む種々のデータを格納するものである。始端検出センサ４１は、ＤＶテープの始端を検出するものである。
【００４４】
図４は、本発明の主要部の機能構成の一例を示すブロック図である。図１に示すマイクロプロセッサ１１は、機能的に、操作受付部１１１、取得部１１２、有効性判定部１１３、録画禁止判定部１１４、書込禁止部１１５、媒体有無判定部１１６、出力可否判定部１１７、動作禁止部１１８、及び、書込部１１９を備えている。
【００４５】
ここでは、マイクロプロセッサ１１が、図略のＲＯＭ（Ｒｅａｄ  Ｏｎｌｙ  Ｍｅｍｏｒｙ）等に予め格納されたプログラムを読み出して実行することにより、操作受付部１１１、取得部１１２、有効性判定部１１３、録画禁止判定部１１４、書込禁止部１１５、媒体有無判定部１１６、出力可否判定部１１７、動作禁止部１１８、及び、書込部１１９等の機能部として機能するものである。
【００４６】
また、図２に示すメモリ１７又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４７】
操作受付部１１１（操作受付手段の一部に相当する）は、ＤＶカメラ３に装着されたＤＶテープから動画像情報を取得して、ＤＶＤ−ＲＡＭ１００に格納する旨の操作入力（例えば、リモコン２に配設されたダビングボタンの押下操作）を、リモコン２を介して受け付けるものである。また、操作受付部１１１は、ダビングボタンの押下操作を受け付けた場合に、ＤＶカメラ３に対して、ＰＬＡＹモードに遷移する旨のコマンドを送信するものである。
【００４８】
取得部１１２（取得手段に相当する）は、ＤＶカメラ３がＰＬＡＹモードに遷移したか否かをチェックして、ＰＬＡＹモードに遷移した場合には、ＤＶカメラ３に装着されたＤＶテープから動画像情報を取得するものである。また、取得部１１２は、動作禁止部１１８から動作を禁止する旨の指示情報を受け付けた場合には、その指示に従う（＝「ＤＶカメラ３に装着されたＤＶテープから動画像情報を取得する動作」を行わない）ものである。
【００４９】
有効性判定部１１３（有効性判定手段に相当する）は、ＤＶテープから取得された動画像情報に再生可能な有効な動画像が含まれているか否かを判定するものである。具体的には、有効性判定部１１３は、動画像情報に含まれる各静止画像情報に付与された有効性情報に基づいて、ＤＶテープから取得された動画像情報に再生可能な有効な動画像が含まれているか否かを判定するものである。ここでは、有効性情報は、例えば、動画像情報に含まれる各静止画像情報に付与されたＲＥＣ  ＭＯＤＥ（映像の有無を示す情報）である。
【００５０】
録画禁止判定部１１４（録画禁止判定手段に相当する）は、ＤＶテープから取得された動画像情報が、録画禁止映像であるか否かを判定するものである。具体的には、録画禁止判定部１１４は、動画像情報に含まれる各静止画像情報に付与された禁止性情報に基づいて、録画禁止映像であるか否かを判定するものである。ここでは、禁止性情報は、例えば、ＣＧＭＳ（Ｃｏｐｙ  Ｇｅｎｅｒａｔｉｏｎ  Ｍａｎａｇｅｍｅｎｔ  Ｓｙｓｔｅｍ）に従って付与される情報である。
【００５１】
書込禁止部１１５（書込禁止手段に相当する）は、ＤＶテープから取得された動画像情報が、有効性判定部１１３によって再生可能な有効な動画像が含まれていないと判定された場合に、書込部１１９の動作を禁止する（＝動画像情報をＤＶＤ−ＲＡＭ１００に格納する処理を行わせない）ものである。
【００５２】
媒体有無判定部１１６（媒体有無判定手段に相当する）は、ＤＶテープがＤＶカメラ３に装着されているか否かを判定するものである。具体的には、ＤＶカメラ３に対して、状態取得コマンド（ｔｒａｎｓｐｏｒｔｓｔａｔｅ  コマンド：ＤＶテープが装着されているか否かを示す情報を返信する旨の命令情報の一例に相当する）を送信し、該状態取得コマンドに対するＤＶカメラ３からの返信情報に基づいて、ＤＶテープがＤＶカメラ３に装着されているか否かを判定するものである。すなわち、媒体有無判定部１１６は、ＤＶカメラ３からＤＶテープが装着されていないとの情報が返信された場合に、ＤＶテープがＤＶカメラ３に装着されていないと判定し、その他の情報（例えば、ＰＬＡＹ中である、ＰＬＡＹへの状態遷移中である等の情報）である場合に、ＤＶテープがＤＶカメラ３に装着されていると判定するものである。
【００５３】
出力可否判定部１１７（出力可否判定手段に相当する）は、ＤＶカメラ３がＤＶテープから動画像情報を出力可能な状態であるか否かを判定するものである。具体的には、ＤＶカメラ３に対して、カメラＶＴＲコマンド（動画像情報を出力可能な状態であるか否かを示す情報を返信する旨の命令情報の一例に相当する）を送信し、該カメラＶＴＲコマンドに対するＤＶカメラ３からの返信情報に基づいて、ＤＶカメラ３がＤＶテープから動画像情報を出力可能な状態であるか否かを判定するものである。すなわち、出力可否判定部１１７は、ＤＶカメラ３からＶＴＲモードである旨の情報が返信された場合に、ＤＶテープから動画像情報を出力可能な状態であると判定し、ＤＶカメラ３から撮影モードである旨の情報が返信された場合に、ＤＶテープから動画像情報を出力可能な状態ではないと判定するものである。
【００５４】
動作禁止部１１８（動作禁止手段に相当する）は、媒体有無判定部１１６によってＤＶテープが装着されていないと判定された場合、又は、出力可否判定部１１７によって、ＤＶカメラ３がＤＶテープから動画像情報を出力可能な状態ではないと判定された場合に、取得部１１２及び書込部１１９の動作を禁止する（＝動画像情報をＤＶテープから取得する処理及び動画像情報をＤＶＤ−ＲＡＭ１００に格納する処理を行わせない）ものである。なお、ここでは、動作禁止部１１８は、媒体有無判定部１１６によってＤＶテープが装着されていないと判定された場合、出力可否判定部１１７によって、ＤＶカメラ３がＤＶテープから動画像情報を出力可能な状態ではないと判定された場合、又は、録画禁止判定部１１４によって、ＤＶテープから取得された動画像情報が録画禁止映像であると判定された場合に、取得部１１２及び書込部１１９の動作を禁止すると共に、ダビング処理を終了するものである。
【００５５】
書込部１１９（書込手段に相当する）は、取得部１１２によってＤＶカメラ３に装着されたＤＶテープから取得された動画像情報をＤＶＤ−ＲＡＭ１００に格納する（＝書込処理を行う）ものである。ただし、動作禁止部１１８によって、動作を禁止する旨の指示情報を受け付けた場合には、その指示に従う（＝「動画像情報をＤＶＤ−ＲＡＭ１００に書き込む動作」を行わない）ものである。
【００５６】
図５、図６は、マイクロプロセッサ１１の動作の一例を示すフローチャートである。まず、操作受付部１１１によって、リモコン２のダビングボタンの押下操作が受け付けられたか否かの判定が行われる（Ｓ１０１）。ダビングボタンの押下操作が受け付けられていないと判定された場合（Ｓ１０１でＮＯ）には、処理が待機状態とされる。ダビングボタンの押下操作が受け付けられたと判定された場合（Ｓ１０１でＹＥＳ）には、媒体有無判定部１１６によって、ＤＶテープがＤＶカメラ３に装着されているか否かが判定される（Ｓ１０３）。ＤＶテープがＤＶカメラ３に装着されていないと判定された場合（Ｓ１０３でＮＯ）には、動作禁止部１１８によって、処理が終了される。ＤＶテープがＤＶカメラ３に装着されていると判定された場合（Ｓ１０３でＹＥＳ）には、操作受付部１１１によって、ＤＶカメラ３に対して、ＰＬＡＹモードに遷移する旨のコマンドが送信される（Ｓ１０５）。
【００５７】
そして、取得部１１２によって、ＤＶカメラ３がＰＬＡＹモードに遷移したか否かの判定が行われる（Ｓ１０７）。ＤＶカメラ３がＰＬＡＹモードに遷移していない（＝遷移中である）と判定された場合（Ｓ１０７でＮＯ）には、処理が待機状態とされる。ＤＶカメラ３がＰＬＡＹモードに遷移したと判定された場合（Ｓ１０７でＹＥＳ）には、取得部１１２によって、ＤＶカメラ３に装着されたＤＶテープから動画像情報が取得される（Ｓ１０９）。次に、有効性判定部１１３によって、ＤＶテープから取得された動画像情報に再生可能な有効な動画像が含まれているか否か（＝ブランクであるか否か）が判定される（Ｓ１１１）。ブランクであると判定された場合（Ｓ１１１でＮＯ）には、書込禁止部１１５によって、動画像情報をＤＶＤ−ＲＡＭ１００に格納する処理を行わせないで、処理がステップ１０９に戻され、次の動画像情報が取得される。ブランクではないと判定された場合（Ｓ１１１でＹＥＳ）には、録画禁止判定部１１４によって、ＤＶテープから取得された動画像情報が、録画禁止映像であるか否かの判定が行われる（Ｓ１１３）。
【００５８】
録画禁止映像であると判定された場合（Ｓ１１３でＹＥＳ）には、書込禁止部１１５によって、動画像情報をＤＶＤ−ＲＡＭ１００に格納する処理を行わせないで、動作禁止部１１８によって、処理が終了される。録画禁止映像ではないと判定された場合（Ｓ１１３でＮＯ）には、図６に示すように、書込部１１９によって、ＤＶテープから取得された動画像情報がＤＶＤ−ＲＡＭ１００に書き込まれる（Ｓ１１５）。そして、取得部１１２によって、ＤＶカメラ３に装着されたＤＶテープから次の動画像情報が取得される（Ｓ１１７）。次に、有効性判定部１１３によって、ＤＶテープから取得された動画像情報に再生可能な有効な動画像が含まれているか否か（＝ブランクであるか否か）が判定される（Ｓ１１９）。ブランクであると判定された場合（Ｓ１１９でＮＯ）には、書込禁止部１１５によって、動画像情報をＤＶＤ−ＲＡＭ１００に格納する処理を行わせないで（Ｓ１２１）、処理がステップ１１７に戻され、次の動画像情報が取得される。ブランクではないと判定された場合（Ｓ１１９でＹＥＳ）には、録画禁止判定部１１４によって、ＤＶテープから取得された動画像情報が、録画禁止映像であるか否かの判定が行われる（Ｓ１２３）。
【００５９】
録画禁止映像であると判定された場合（Ｓ１２３でＹＥＳ）には、書込禁止部１１５によって、動画像情報をＤＶＤ−ＲＡＭ１００に格納する処理を行わせないで、処理が終了される。録画禁止映像ではないと判定された場合（Ｓ１２３でＮＯ）には、書込部１１９によって、ＤＶテープから取得された動画像情報がＤＶＤ−ＲＡＭ１００に書き込まれる（Ｓ１２５）。そして、出力可否判定部１１７によって、ＤＶカメラ３がＤＶテープから動画像情報を出力可能な状態であるか否か（＝ＶＴＲモードであるか否か）の判定が行われる（Ｓ１２７）。ＶＴＲモードではないと判定された場合（Ｓ１２７でＮＯ）には、動作禁止部１１８によって、処理が終了される。ＶＴＲモードであると判定された場合（Ｓ１２７でＹＥＳ）には、媒体有無判定部１１６によって、ＤＶテープがＤＶカメラ３に装着されているか否かの判定が行われる（Ｓ１２９）。ＤＶテープがＤＶカメラ３に装着されていないと判定された場合（Ｓ１２９でＮＯ）には、動作禁止部１１８によって、処理が終了される。ＤＶテープがＤＶカメラ３に装着されていると判定された場合（Ｓ１２９でＹＥＳ）には、処理がステップＳ１１７に戻され、ステップ１１７以降の処理が繰り返し実行される。
【００６０】
このようにして、ＤＶカメラ３から取得された動画像情報に再生可能な有効な動画像が含まれていないと判定された場合に、ＤＶカメラ３から取得された動画像情報をＤＶＤ−ＲＡＭ１００に格納する処理が禁止されるため、再生可能な有効な動画像が含まれていない動画像を除外する処理が不要となるので、ＤＶカメラ３の動画像情報を操作性良好に録画（ダビング）することができる。
【００６１】
また、動画像情報に含まれる各静止画像情報に付与された再生可能な有効な静止画像が含まれているか否か（＝ブランクであるか否か）を示す有効性情報に基づいて、画像情報に再生可能な有効な動画像が含まれているか否かが判定されるため、簡単な処理で正確に再生可能な有効な動画像が含まれているか否かを判断することができる。
【００６２】
更に、動画像情報に含まれる各静止画像情報に付与された録画禁止映像であるか否かを示す禁止性情報に基づいて録画禁止映像であるか否かが判定されるため、簡単な処理で正確に録画禁止映像であるか否かを判断することができる。
【００６３】
加えて、ＤＶテープが装着されていないと判定された場合に、ＤＶテープから動画像情報を取得する処理及びＤＶカメラ３から取得された動画像情報をＤＶＤ−ＲＡＭ１００に格納する処理が禁止されるため、不要な処理の実行を回避することができる。
【００６４】
また、ＤＶカメラ３に対して、状態取得コマンドを送信し、該状態取得コマンドに対するＤＶカメラ３からの返信情報に基づいて、ＤＶテープが装着されているか否かが判定されるため、ＤＶテープが装着されているか否かを簡単な処理で正確に判定することができる。
【００６５】
更に、ＤＶカメラ３が動画像情報を出力可能な状態ではないと判定された場合に、ＤＶテープから動画像情報を取得する処理及びＤＶカメラ３から取得された動画像情報をＤＶＤ−ＲＡＭ１００に格納する処理が禁止されるため、不要な処理の実行を回避することができる。
【００６６】
加えて、ＤＶカメラ３に対して、カメラＶＴＲコマンドを送信し、該カメラＶＴＲコマンドに対するＤＶカメラ３からの返信情報に基づいて、動画像情報を出力可能な状態であるか否かが判定されるため、動画像情報を出力可能な状態であるか否かを簡単な処理で正確に判定することができる。
【００６７】
なお、本発明は、以下の形態にも適用可能である。
（Ａ）本実施形態では、情報再生装置がＤＶＤレコーダ１である場合について説明したが、動画像情報が格納されたＤＶカメラ３等の動画像記録装置と通信可能に接続され、動画像情報をＤＶＤ−ＲＡＭ１００等の記録媒体に格納すると共に、記録媒体に格納された情報を読み出して再生可能に構成された装置であればよい。例えば、情報再生装置が、ビデオテープレコーダである形態でもよい。
【００６８】
（Ｂ）本実施形態では、動画像記録装置がＤＶカメラ３である場合について説明したが、動画像情報が格納され、ＤＶＤレコーダ１等の情報再生装置と通信可能に接続される装置であればよい。例えば、動画像記録装置が動画像を撮影可能なビデオカメラである形態でもよいし、ＤＶテープ等の記録媒体を備えたＰＤＡ（Ｐｅｒｓｏｎａｌ  Ｄｉｇｉｔａｌ  Ａｓｓｉｓｔａｎｔｓ）等である形態でもよい。
【００６９】
（Ｃ）本実施形態では、ＤＶＤレコーダ１とＤＶカメラ３とがＩＥＥＥ１３９４ケーブル５を介して通信可能に接続される場合について説明したが、その他の方法（例えば、ＵＳＢケーブル等）で通信可能に接続される形態でもよい。
【００７０】
（Ｄ）本実施形態では、操作受付部１１１が、リモコン２を介してユーザからの操作入力を受け付ける場合について説明したが、操作受付部１１１が、ＤＶＤレコーダ１の操作部１９を介してユーザからの操作入力を受け付ける形態でもよい。
【００７１】
（Ｅ）本実施形態では、動作禁止部１１８が、録画禁止判定部１１４によって、ＤＶテープから取得された動画像情報が録画禁止映像であると判定されると、取得部１１２及び書込部１１９の動作を禁止すると共に、ダビング処理を終了する場合について説明したが、録画禁止判定部１１４によって、ＤＶテープから取得された動画像情報が録画禁止映像であると判定されると、書込禁止部１１５が書込部１１９の動作を禁止する形態でもよい。この場合には、ＤＶテープの一部に録画禁止映像が含まれている場合に、ブランクと同様にＤＶＤ−ＲＡＭ１００に格納する処理を行わせないことにより、ＤＶテープの動画像情報を操作性良好に録画（ダビング）することができる。
【図面の簡単な説明】
【００７２】
【図１】は、本発明に係るＤＶＤレコーダの接続状態を示す構成図である。
【図２】は、ＤＶＤレコーダの構成の一例を示すブロック図である。
【図３】は、ＤＶカメラの構成の一例を示すブロック図である。
【図４】は、本発明の主要部の機能構成の一例を示すブロック図である。
【図５】は、マイクロプロセッサ１１の動作の一例を示すフローチャート（前半部）である。
【図６】は、マイクロプロセッサ１１の動作の一例を示すフローチャート（後半部）である。
【符号の説明】
【００７３】
１    ＤＶＤレコーダ（情報再生装置）
１００    ＤＶＤ−ＲＡＭ
１１    マイクロプロセッサ
１１１    操作受付部（操作受付手段の一部）
１１２    取得部（取得手段）
１１３    有効性判定部（有効性判定手段）
１１４    録画禁止判定部（録画禁止判定手段）
１１５    書込禁止部（書込禁止手段）
１１６    媒体有無判定部（媒体有無判定手段）
１１７    出力可否判定部（出力可否判定手段）
１１８    動作禁止部（動作禁止手段）
１１９    書込部（書込手段）
１９    操作部
２    リモコン（操作受付手段の一部）
３    ＤＶカメラ（動画像記録装置）
５    ＩＥＥＥ１３９４ケーブル
【図１】
2007324950.tif 000003
【図２】
2007324950.tif 000004
【図３】
2007324950.tif 000005
【図４】
2007324950.tif 000006
【図５】
2007324950.tif 000007
【図６】
2007324950.tif 000008